(57)【要約】【課題】電気機器のレイアウト自由度を向上させることのできるフロアパネルシステムを得る。【解決手段】フロアパネル４の表面層４Ｓの下側に伝送媒体６を配置する。表面層４Ｓを弾性絶縁材で形成し、表面層４Ｓの伝送媒体６に対応する任意の位置に取付部１０を形成できるようにする。そして、伝送媒体６からアウトレット９に電力や情報信号を取り出す取付部１０を形成し、その取付部１０にアウトレット９の接続部１１を接触させる。これにより、伝送媒体６が配設されている部分であれば、電力や情報信号をアウトレット９に簡単に取り出すことができる。【選択図】図１
2010106470.tif 000002
【特許請求の範囲】
【請求項１】
基礎床上に敷設されて二重床を構築する複数のフロアパネルと、当該フロアパネルの表面下に配置される伝送媒体と、当該伝送媒体に接触可能な接続部を有し、当該接続部を介して前記伝送媒体に接続されるアウトレットとを備えるフロアパネルシステムであって、
前記フロアパネルは、前記アウトレットの接続部が取り付けられる取付部を複数形成することが可能であり、
前記フロアパネルに形成された前記取付部に前記アウトレットの接続部を取り付け、当該接続部を前記伝送媒体に接触させることを特徴とするフロアパネルシステム。
【請求項２】
前記フロアパネルは、弾性絶縁材で形成された表面層を備え、当該表面層の前記伝送媒体に対応した任意の位置に前記取付部を形成できるようにしたことを特徴とする請求項１に記載のフロアパネルシステム。
【請求項３】
前記フロアパネルの表面に表面層を形成し、当該表面層に、前記伝送媒体に沿って任意の部分に分割した蓋体を設け、
任意の蓋体を取り外して前記アウトレットの接続部を前記伝送媒体に接触させるようにしたことを特徴とする請求項１に記載のフロアパネルシステム。
【請求項４】
前記フロアパネルの表面に着脱可能な表面層を形成し、当該表面層と前記伝送媒体との間に前記取付部を設けたことを特徴とする請求項１に記載のフロアパネルシステム。
【請求項５】
前記フロアパネルが略長方形状をしており、当該フロアパネルの長手方向に沿って前記伝送媒体が配設されていることを特徴とする請求項１〜４のうちいずれか１項に記載のフロアパネルシステム。
【請求項６】
前記基礎床上に空間を設けてフロアパネルを支持する支柱を備えるとともに、複数の支柱に亘って横桟を架設し、当該横桟に略長方形状の前記フロアパネルを載置することを特徴とする請求項５に記載のフロアパネルシステム。
【請求項７】
前記伝送媒体は、前記フロアパネルの内部に形成した中空部に充填した導電性部材であることを特徴とする請求項１〜４のうちいずれか１項に記載のフロアパネルシステム。
【請求項８】
前記導電性部材は、導電性フィラーが含有された部材であることを特徴とする請求項７に記載のフロアパネルシステム。
【請求項９】
前記フロアパネルに、当該フロアパネルを貫通する多数の貫通孔を形成することで前記取付部を形成するとともに、前記アウトレットの接続部を任意の貫通孔に挿入できるように形成し、貫通孔を貫通させた前記接続部の先端部を前記フロアパネルの下方に配置される伝送媒体に接触させたことを特徴とする請求項１に記載のフロアパネルシステム。
【発明の詳細な説明】
【技術分野】
【０００１】
本発明は、基礎床上にフロアパネルを敷設することで二重床を構築するフロアパネルシステムに関する。
【背景技術】
【０００２】
従来、フロアパネルシステムとして、一端部にコンセントを接続するとともに他端部にプラグを接続した配線をフロアパネルの内部に設け、当該フロアパネルを順次敷設し、隣接するフロアパネル同士のコンセントとプラグを電気的に接続させるとともに、フロアパネルの上面に上方に向かって開口するアウトレット用コンセントを埋設し、当該アウトレット用コンセントを分岐配線を介して上記配線に電気的に接続させたものが知られている（例えば、特許文献１参照）。
【特許文献１】実開平４−１３４１２７号公報
【発明の開示】
【発明が解決しようとする課題】
【０００３】
しかしながら、従来のフロアパネルシステムでは、アウトレットの取出し位置がフロアパネルの上面に設けたコンセントの配設位置のみに限定されるため、電気機器の設置がアウトレット用コンセントの配設位置近傍に限定されてしまい、電気機器のレイアウト自由度が制限されるという問題があった。
【０００４】
そこで、本発明は、電気機器のレイアウト自由度を向上させることのできるフロアパネルシステムを得ることを目的とする。
【課題を解決するための手段】
【０００５】
請求項１の発明にあっては、基礎床上に敷設されて二重床を構築する複数のフロアパネルと、当該フロアパネルの表面下に配置される伝送媒体と、当該伝送媒体に接触可能な接続部を有し、当該接続部を介して前記伝送媒体に接続されるアウトレットとを備えるフロアパネルシステムであって、前記フロアパネルは、前記アウトレットの接続部が取り付けられる取付部を複数形成することが可能であり、前記フロアパネルに形成された前記取付部に前記アウトレットの接続部を取り付け、当該接続部を前記伝送媒体に接触させることを特徴とする。
【０００６】
請求項２の発明にあっては、請求項１に記載のフロアパネルシステムにおいて、前記フロアパネルは、弾性絶縁材で形成された表面層を備え、当該表面層の前記伝送媒体に対応した任意の位置に前記取付部を形成できるようにしたことを特徴とする。
【０００７】
請求項３の発明にあっては、請求項１に記載のフロアパネルシステムにおいて、前記フロアパネルの表面に表面層を形成し、当該表面層に、前記伝送媒体に沿って任意の部分に分割した蓋体を設け、任意の蓋体を取り外して前記アウトレットの接続部を前記伝送媒体に接触させるようにしたことを特徴とする。
【０００８】
請求項４の発明にあっては、請求項１に記載のフロアパネルシステムにおいて、前記フロアパネルの表面に着脱可能な表面層を形成し、当該表面層と前記伝送媒体との間に前記取付部を設けたことを特徴とする。
【０００９】
請求項５の発明にあっては、請求項１〜４のうちいずれか１項に記載のフロアパネルシステムにおいて、前記フロアパネルが略長方形状をしており、当該フロアパネルの長手方向に沿って前記伝送媒体が配設されていることを特徴とする。
【００１０】
請求項６の発明にあっては、請求項５に記載のフロアパネルシステムにおいて、前記基礎床上に空間を設けてフロアパネルを支持する支柱を備えるとともに、複数の支柱に亘って横桟を架設し、当該横桟に略長方形状の前記フロアパネルを載置することを特徴とする。
【００１１】
請求項７の発明にあっては、請求項１〜４のうちいずれか１項に記載のフロアパネルシステムにおいて、前記伝送媒体は、前記フロアパネルの内部に形成した中空部に充填した導電性部材であることを特徴とする。
【００１２】
請求項８の発明にあっては、請求項７に記載のフロアパネルシステムにおいて、前記導電性部材は、導電性フィラーが含有された部材であることを特徴とする。
【００１３】
請求項９の発明にあっては、請求項１に記載のフロアパネルシステムにおいて、前記フロアパネルに、当該フロアパネルを貫通する多数の貫通孔を形成することで前記取付部を形成するとともに、前記アウトレットの接続部を任意の貫通孔に挿入できるように形成し、貫通孔を貫通させた前記接続部の先端部を前記フロアパネルの下方に配置される伝送媒体に接触させたことを特徴とする。
【発明の効果】
【００１４】
請求項１の発明によれば、取付部を複数形成することが可能なフロアパネルに形成した取付部にアウトレットの接続部を取り付け、当該接続部を伝送媒体に接触させるようにしたため、フロアパネルの取付部を形成することができる部位であれば、自由にアウトレットの接続部を取り付けて伝送物である電力や情報信号を取り出すことができるようになり、電気機器のレイアウト自由度を向上させることができる。
【００１５】
請求項２の発明によれば、加工が容易な弾性絶縁材で表面層を形成したため、フロアパネルを敷設した後に取出口の事後形成が可能となり、取出口の形成位置を自由に変更することができる。
【００１６】
請求項３の発明によれば、表面層の任意の部分に設けた任意の蓋体を取り外してアウトレットの接続部を伝送媒体に接続できるため、蓋体を設けたいかなる場所でも伝送物である電力や情報信号を簡単に取り出すことができる。
【００１７】
請求項４の発明によれば、表面層を着脱可能に設け、当該表面層と伝送媒体との間に取付部を設けたため、表面層を取り外すことによりアウトレットの接続部を容易に取付部に取り付けることができるようになる。
【００１８】
請求項５の発明によれば、フロアパネルが略長方形状に形成されているため、フロアパネルの敷設作業の能率化を図ることができる。
【００１９】
請求項６の発明によれば、複数の支柱に亘って架設した横桟に略長方形状のフロアパネルを載置したため、フロアパネルの敷設作業のさらなる能率化を図ることができる。
【００２０】
請求項７の発明によれば、伝送媒体を、フロアパネルの内部に形成した中空部に充填した導電性部材としたため、伝送媒体の配設作業が不要になる上、各フロアパネルに対する伝送媒体の占有面積を増大でき、アウトレットの接続位置の選択範囲を広げることができる。
【００２１】
請求項８の発明によれば、導電性部材を、導電フィラーが含有された部材で形成したため、フロアパネルの軽量化を図ることができる。
【００２２】
請求項９の発明によれば、フロアパネルを貫通する多数の貫通孔を形成することで取付部を形成するとともに、アウトレットの接続部を任意の貫通孔に挿入できるように形成し、接続部の先端部を伝送媒体に接触させたため、多数の貫通孔から任意の位置にある貫通孔を選択して接続部を挿入することができ、貫通孔が形成されている部分であれば、いかなる場所でも伝送物である電力や情報信号を簡単に取り出すことができる。
【発明を実施するための最良の形態】
【００２３】
［第１の実施形態］
本発明の第１の実施形態について図面を参照しながら説明する。図１は、本実施形態にかかるフロアパネルシステムを概略的に示す斜視図、図２は取出口を形成したフロアパネルの斜視図、図３はフロアパネルの断面図、図４は取出口を形成しない状態のフロアパネルの斜視図である。
【００２４】
まず、フロアパネルシステム１の概要を説明する。図１に示すように、フロアパネルシステム１は、基礎床２上に配置される複数の支柱３と、これらの支柱３を介して基礎床２上に碁盤の目状に敷設される矩形の複数のフロアパネル４と、を備えている。フロアパネル４は、その４隅が支柱３によって支持されるようになっており、隣合うフロアパネル４の隣合う隅同士は、同一の支柱３によって支持される。このフロアパネルシステム１と基礎床２とによって、フロアパネル４と基礎床２との間に空間５を有する二重床が形成される。
【００２５】
フロアパネル４には、伝送物を伝送する伝送媒体としての伝送板６が設けられている。伝送板６は銅板によって形成されており、フロアパネル４の表面層４Ｓの下側の全面に亘って配設している。そして、伝送板６の外周端は表面層４Ｓの周囲に露出している。また、フロアパネル４の本体部分４Ｍは、上面に伝送板６を添着した天板４ｃと、この天板４ｃの下面に結合される皿状の底板４ｂと、によって中空状に形成されている。また、本体部分４Ｍの中空部内にはコンクリートが充填されており、フロアパネル４の骨格部材となっている。
【００２６】
そして、図１に示すように、フロアパネル４の外周辺を互いに突き合わせて敷設した際に、隣接するフロアパネル４同士で伝送板６の外周端が相互に接触し、敷設されたフロアパネル４の全体で伝送板６がそれぞれ導通され、導通された伝送板６によってフロアパネルシステム１内に伝送路７が形成される。この伝送路７には、伝送物管理装置８やアウトレット９が接続可能となっており、アウトレット９に接続された電気機器（図示せず）と伝送物管理装置８とが伝送路７を介して接続されるようになっている。
【００２７】
フロアパネルシステム１が伝送路７によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００２８】
電力は、交流又は直流であり、情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は電気信号又は光信号によって構成される。情報信号は、電力と別体又は一体に伝送され、情報信号が電力と一体に伝送される場合には、情報信号が重畳された交流や直流が用いられる。
【００２９】
伝送物管理装置８は、電力を供給可能な電源装置、情報を送受信可能なサーバ、又は、それら電源装置及びサーバの両方の機能を有する複合装置等である。なお、図１には、伝送物管理装置８として電源装置を例示してある。
【００３０】
伝送線６は、伝送物が電力である場合には、電力を伝送可能な電源線が用いられ、伝送物が情報信号である場合には、情報信号を伝送可能なメタル線や光通信線等の情報通信線が用いられる。また、伝送物が電力と情報信号との両方である場合には、伝送線６は、電源線と情報通信線との２系統で構成されるか、又は、電源線だけの１系統で構成される。伝送線６が電源線だけの１系統で構成される場合には、この電源線によって、情報信号が重畳された交流や直流が伝送される。
【００３１】
アウトレット９は、伝送物が電力である場合には、交流用コンセントや、直流用コンセント、特定の電気機器用の専用端子等の電力用アウトレットが用いられる。なお、図１には、アウトレット９として交流用コンセントを例示してある。交流用コンセントや直流用コンセントには、電源用フロアコンセントやテーブルタップ、各種電気機器が接続可能である。電源用フロアコンセント及びテーブルタップは、伝送される電力に応じて、交流用、直流用又は交流・直流両用のいずれかが用いられる。
【００３２】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、光コネクタ、複合コンセント等である。複合コンセントは、ＬＡＮ用コンセントや、テレビジョン受像機用コンセント、電話機用コンセント、光コネクタ等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００３３】
また、アウトレット９は、伝送物が電力と情報信号との両方の場合には、伝送線６の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００３４】
ここで、本実施形態のフロアパネル４は、アウトレット９の接続部１１が取り付けられる取付部を複数形成することが可能となっている。
【００３５】
具体的には、フロアパネル４は、フロアパネル４の表面層４Ｓの伝送板６に対応した任意の位置に、伝送板６からアウトレット９に伝送物である電力や情報信号を取り出す取出口（取付部）１０を設定することができるようになっている。そして、設定した取出口１０にアウトレット９の接続部１１を差し込むことで、接続部１１が取出口１０に取り付けられるとともに、接続部１１の図示せぬ導体が伝送板６に接触するようになっている。
【００３６】
本実施形態では、表面層４Ｓをゴムなどの柔軟な弾性絶縁材で形成することで、図２に示すように、表面層４Ｓの任意の位置を円形刃先などで切除することが可能となり、当該切除部分を取出口１０として用いることができるようにしている。なお、表面層４Ｓから取り除かれた部材を蓋１２として用い、表面層４Ｓに蓋１２を予め形成しておき、接続部１１を差し込む際に蓋１２を取り除くようにしてもよい。この場合、蓋１２を表面層４Ｓの複数箇所に設けるのが好適である。
【００３７】
ところで、本実施形態では、フロアパネル４が基礎床２に支柱３を介して敷設された状態では、各フロアパネル４は、図４に示すように、取出口１０が設けられていない状態となっている。
【００３８】
以上の本実施形態によれば、取出口（取付部）１０を複数形成することが可能なフロアパネル４に形成した取出口（取付部）１０にアウトレット９の接続部１１を取り付け、当該接続部１１を伝送板（伝送媒体）６に接触させるようにしたため、フロアパネル４の取出口（取付部）１０を形成することができる部位（本実施形態では、表面層４Ｓの全域）であれば、自由にアウトレット９の接続部１１を取り付けて伝送物である電力や情報信号を取り出すことができるようになり、電気機器のレイアウト自由度を向上させることができる。
【００３９】
また、表面層４Ｓを弾性絶縁材で形成することで、表面層４Ｓの加工が容易となり、フロアパネル４を敷設した後に取出口１０の事後形成が可能となるため、取出口１０の形成位置を自由に変更することができる。
【００４０】
さらに、本実施形態では、フロアパネル４の表面層４Ｓの下側に伝送板６を設けることによって、フロアパネル４と基礎床２との間の空間５に配設する伝送媒体である伝送線を少なくしたり無くすことができる。したがって、フロアパネル４の表面層４Ｓの下側に伝送板６を設けずにフロアパネル４と基礎床２との間の空間５にのみ伝送媒体を配索する場合に比べて、フロアパネル４と基礎床２との間の空間５の高さを低くすることができ、フロアパネルシステム１の床面（上面）を低くすることができる。よって、室内空間の高さを高くして室内を広くすることができる。
【００４１】
また、フロアパネル４に伝送板６を一体に設けることによって、フロアパネル４に電気機器９９を内蔵してその電気機器９９を伝送板６に接続したり、フロアパネル４外の電気機器（図示せず）を伝送板６に接続（以下、外部接続ともいう）することができ、これにより、そのフロアパネル４内外の電気機器９９の遠隔制御や使用をすることができる。このような構成の例を以下に説明する。
【００４２】
例えば、フロアパネル４に内蔵又は外部接続する電気機器９９として位置検出センサを採用することで、人の位置を検出することが可能となる。
【００４３】
また、フロアパネル４に内蔵又は外部接続する電気機器９９として空調機器を採用することで、温度や湿度などの室内空気環境を個別制御することが可能となる。
【００４４】
また、フロアパネル４に内蔵又は外部接続する電気機器９９として照明器具を採用することで、室内照明を制御することが可能となる。
【００４５】
また、フロアパネル４に内蔵又は外部接続する電気機器９９として電力量センサを採用することで、フロアパネルシステム１内の電力量や電力分配を制御することが可能となる。
【００４６】
また、フロアパネル４に内蔵又は外部接続する電気機器９９として物体の有無を検出可能な荷重センサを採用することで、有形資産の位置を検出して管理することが可能となる。
【００４７】
また、フロアパネル４に内蔵又は外部接続する電気機器９９として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。
【００４８】
また、フロアパネル４に内蔵又は外部接続する電気機器９９として圧電素子を採用することで、電力を生み出してその電力を他の電気機器に供給することが可能となる。
【００４９】
[第２の実施形態]
本発明の第２の実施形態について図面を参照して説明する。図５は、本実施形態にかかるフロアパネルシステムを概略的に示す斜視図、図６はアウトレットを接続した状態を示すフロアパネルの平面図、図７は図６中Ａ−Ａ線に沿った拡大断面図である。
【００５０】
本実施形態のフロアパネルシステム１０１の基本的な構造は、第１の実施形態のフロアパネルシステム１と同じであり、基礎床２上に配置される複数の支柱３と、これらの支柱３を介して基礎床２上に碁盤の目状に敷設される矩形の複数のフロアパネル１０４と、を備えている。そして、本実施形態のフロアパネルシステム１０１は、フロアパネル１０４及び伝送路１０７が、第１の実施形態のフロアパネルシステム１に対して異なる。
【００５１】
フロアパネル１０４には、伝送物を伝送する伝送媒体である伝送線１０６が設けられている。ここで、便宜上、図面において伝送線１０６は単に線で示してある。伝送線１０６は、フロアパネル１０４の中心部を挟んで相互に対向するフロアパネル１０４の隅同士を結ぶように配置されており、全体でＸ字状を成している。隣合うフロアパネル１０４の伝送線１０６同士は、支柱３の導体部を介して接続され、これらの伝送線１０６及び導体部等によって、フロアパネルシステム１０１内に伝送路１０７が形成される。この伝送路１０７には、伝送物管理装置８やアウトレット１０９が接続可能となっており、アウトレット１０９に接続された電気機器（図示せず）と伝送物管理装置８とが伝送路１０７を介して接続されるようになっている。
【００５２】
ここで、本実施形態のフロアパネル１０４は矩形板状に形成されて、図７に示すように、天板１０４ｃと底板１０４ｂとによって内部空間を有するパネル本体１０４Ｍを骨格部材として備えており、表面層１０４Ｓの下側に伝送媒体としての伝送線１０６が配設される。伝送線１０６は、図７に示すように、天板１０４ｃを内部空間方向に凹設した溝１１６内に配置され、その溝１１６の上方開放部が表面層１０４Ｓによって覆われる。このとき、表面層１０４Ｓは、上記第１実施形態と同様にゴムなどの弾性絶縁材によって形成されている。
【００５３】
そして、溝１１６内に配置された伝送線１０６は、図６に示すように、フロアパネル１０４の中心部を挟んで相互に対向するフロアパネル１０４の隅同士を結ぶように配置されており、各フロアパネル１０４において全体的にＸ字状を成している。
【００５４】
また、本実施形態のアウトレット１０９は、図７に示すように、側面にコンセント１０９Ｃを設けた直方体状に形成され、その下側から接続部としての接続端子１１１が垂設されている。接続端子１１１は本実施形態では３本設けており、その接続端子１１１の先端は鋸歯状に形成されている。また、接続端子１１１の長さは、表面層１０４Ｓの上面から伝送線１０６に達する長さとなっている。
【００５５】
そして、本実施形態にあっても第１の実施形態と同様に、アウトレット１０９を設置するにあたって、弾性絶縁材で形成した表面層１０４Ｓの伝送板６に対応した任意の位置に取出口１１０を形成することが可能になっている。すなわち、図７に示すように、アウトレット１０９を設置する位置で、接続端子１１１を表面層１０４Ｓに強く差し込むことにより、接続端子１１１が弾性絶縁材で形成された表面層１０４Ｓを切り裂きつつ侵入し、その接続端子１１１の先端部が伝送線１０６に接触し、伝送線１０６からアウトレット１０９に電力や情報信号を取り出すことができるようになっている。
【００５６】
本実施形態では、接続端子１１１が表面層１０４Ｓを切り裂くことで、取出口（取付部）１１０が形成されることとなる。また、接続端子１１１を複数設けることで、それら接続端子１１１の少なくとも１つが確実に伝送線１０６と接触できるようにしている。また、アウトレット１０９は、図６に示すように、設置状態でフランジ部１０９Ｆがビス１１２によって天板１０４ｃにねじ止めされている。
【００５７】
以上の本実施形態によっても、上記第１の実施形態と同様に伝送線１０６が配設されている部分であれば、いかなる場所でも伝送物である電力や情報信号をアウトレット１０９に簡単に取り出すことができる。
【００５８】
また、表面層１０４Ｓを弾性絶縁材で形成することで、その表面層１０４Ｓの加工が容易となり、フロアパネル１０４を敷設した後に取出口１１０の事後形成が可能となるため、取出口の形成位置を自由に変更することができる。特に、本実施形態ではアウトレット１０９の接続端子１１１を表面層１０４Ｓに差し込めば良く、アウトレット１０９の取付け作業がより簡単になる。
【００５９】
また、フロアパネル１０４のパネル本体１０４Ｍ内に伝送線１０６を設けることによって、第１の実施形態と同様に、フロアパネル１０４と基礎床２との間の空間５に配索する伝送線を少なくしたり無くすことができる。したがって、フロアパネル１０４のパネル本体１０４Ｍ内に伝送線１０６を設けずにフロアパネル１０４と基礎床２との間の空間５にだけ伝送線を配索する場合に比べて、フロアパネル１０４と基礎床２との間の空間５の高さを低くすることができ、フロアパネルシステム１０１の床面（上面）を低くすることができる。よって、室内空間の高さを高くして室内を広くすることができる。
【００６０】
また、フロアパネル１０４に伝送線１０６を一体に設けることによって、第１の実施形態と同様に、フロアパネル１０４に電気機器９９を内蔵してその電気機器９９を伝送線１０６に接続したり、フロアパネル１０４外の電気機器（図示せず）を伝送線１０６に接続することができ、これにより、そのフロアパネル１０４に内外の電気機器９９の遠隔制御や使用をすることができる。このような構成の例は、第１の実施形態と同じであるため、説明は省略する。
【００６１】
ここで、フロアパネル１０４の変形例を説明する。以下の各変形例は、フロアパネル１０４に対して、伝送線１０６の配置が異なり、その他の構成は同じである。
【００６２】
図８は、本実施形態にかかるフロアパネルの第１変形例を概略的に示す平面図である。図８に示す第１変形例のフロアパネル１０４Ａでは、その外周の４辺の各縁部に、それらの辺に沿って伝送線１０６が設けられており、これらの伝送線１０６は全体で略矩形を成している。
【００６３】
図９は、本実施形態にかかるフロアパネルの第２変形例を概略的に示す平面図である。図９に示す第２変形例のフロアパネル１０４Ｂでは、その外周の隣合う２辺の各縁部に、それらの辺に沿って伝送線１０６が設けられており、これらの伝送線１０６が全体で略Ｌ字状を成している。
【００６４】
図１０は、本実施形態にかかるフロアパネルの第３変形例を概略的に示す平面図である。図１０に示す第３変形例のフロアパネル１０４Ｃでは、その外周の一つの辺の縁部に、その辺に沿って伝送線１０６が設けられており、伝送線１０６は直線状となっている。
【００６５】
これらの各種のフロアパネル１０４、１０４Ａ、１０４Ｂ、１０４Ｃを組み合わせることにより、フロアパネルシステム１０１の伝送路１０７の経路を多種多様に構築することができる。
【００６６】
[第３の実施形態］
本発明の第３の実施形態について図面を参照して説明する。図１１は、本実施形態にかかるフロアパネルシステムを概略的に示す斜視図、図１２はフロアパネルの分解斜視図である。
【００６７】
本実施形態のフロアパネルシステム２０１の基本的な構造は、第２の実施形態のフロアパネルシステム１０１と同様である。よって、第２の実施形態との相違点を中心に説明し、第２の実施形態と同じ部分には同一符号を付し重複する説明は省略する。
【００６８】
図１１に示すように、本実施形態のフロアパネルシステム２０１は、フロアパネル２０４及び伝送路２０７が、第２の実施形態のフロアパネルシステム１０１に対して異なる。
【００６９】
具体的には、本実施形態では、隣合うフロアパネル２０４の伝送線２０６同士が、支柱３を介さずにフロアパネル２０４のコネクタを介して接続され、これらの伝送線２０６及びコネクタ等によって、フロアパネルシステム２０１内に伝送路２０７が形成される。伝送線２０６は、フロアパネル２０４の対辺の中央部同士を結ぶようにフロアパネル２０４に設けられており、全体で十字状を成している。伝送路２０７には、第１の実施形態と同様に、伝送物管理装置８やアウトレット９が接続可能となっており、アウトレット９に接続された電気機器（図示せず）と伝送物管理装置８とが伝送路２０７を介して接続されるようになっている。
【００７０】
フロアパネル２０４は、図１２に示すように、上記各実施形態と同様に表面層２０４Ｓを備えており、この表面層２０４Ｓには平板状となった伝送線２０６が十字状に配設されるとともに、その伝送線２０６は表面層２０４Ｓの内部にサンドイッチ状に挟み込まれている。また、フロアパネル２０４は、第１の実施形態と同様に底板２０４ｂを備えるが、本実施形態では表面層２０４Ｓが天板となっている。
【００７１】
ここで、本実施形態では、表面層２０４Ｓに、平板状の伝送線２０６に沿って任意の部分に分割した蓋体２１５を設け、任意の蓋体２１５を取り外した状態でアウトレット２０９の接続部２１１を伝送線２０６に接続するようになっている。
【００７２】
蓋体２１５は、十字状に配設された伝送線２０６に沿ってフロアパネル２０４の中央部に位置した正方形状となる１つの中央蓋体２１５ａと、その中央蓋体２１５ａの周縁部に位置して長方形状となる４つの周縁蓋体２１５ｂと、によって構成される。したがって、フロアパネル２０４の表面層２０４Ｓには、中央蓋体２１５ａおよび周縁蓋体２１５ｂに沿って十字状の溝部２１６が形成され、この溝部２１６に中央蓋体２１５ａおよび周縁蓋体２１５ｂが嵌め込まれる。勿論、溝部２１６に中央蓋体２１５ａおよび周縁蓋体２１５ｂが嵌め込まれた状態では、フロアパネル２０４の表面は平坦となる。
【００７３】
また、中央蓋体２１５ａの外周面に露出する伝送線２０６の端面には、僅かに突出する接触突部２０６ｃが形成されており、溝部２１６に中央蓋体２１５ａおよび周縁蓋体２１５ｂが嵌め込まれた際に、接触突部２０６ｃが周縁蓋体２１５ｂの伝送線２０６の端面に接触して、中央蓋体２１５ａと周縁蓋体２１５ｂの伝送線２０６が互いに導通される。また、隣接されるフロアパネル２０４同士では、周縁蓋体２１５ｂの伝送線２０６の外側端面同士が互いに接触して導通され、フロアパネルシステム２０１の全体に亘って連続した伝送路２０７が形成される。
【００７４】
上述したアウトレット２０９の接続部２１１は、中央蓋体２１５ａと周縁蓋体２１５ｂとに対応した２種類が設けられ、中央蓋体２１５ａに対応した中央接続部２１１ａは、中央蓋体２１５ａと同様の形状をもって伝送線２０６がサンドイッチ状に挟まれ、伝送線１０６の外周端面に接触突部２０６ｃが形成されている。また、周縁接続部２１１ｂは、周縁蓋体２１５ｂと同様の形状をもって伝送線２０６がサンドイッチ状に挟まれ、伝送線２０６の外周端面が露出されている。これにより、中央蓋体２１５ａや周縁蓋体２１５ｂに代えて中央接続部２１１ａや周縁接続部２１１ｂを溝部２１６に嵌め込んだ際にも、隣接する伝送線２０６同士が相互に接触して伝送路２０７を確保できる。
【００７５】
したがって、図１２中一点鎖線の矢印に示すように、アウトレット２０９の接続部２１１をフロアパネル２０４の中央部に取り付ける場合は、中央蓋体２１５ａを取り外して、そこに中央接続部２１１ａを嵌め込むことになる。また、アウトレット２０９の接続部２１１をフロアパネル２０４の主演部に取り付ける場合は、周縁蓋体２１５ｂを取り外して、そこに周縁接続部２１１ｂを嵌め込むことになる。このように、本実施形態では、溝部２１６の一部が取付部２１０に相当している。
【００７６】
以上の本実施形態によれば、上記各実施形態と同様に伝送線２０６が配設されている部分であれば、いかなる場所でも伝送物である電力や情報信号をアウトレット２０９に簡単に取り出すことができる。
【００７７】
また、表面層２０４Ｓの任意の部分に設けた任意の蓋体２１５である中央蓋体２１５ａや周縁蓋体２１５ｂを取り外してアウトレット２０９の接続部２１１である中央接続部２１１ａや周縁接続部２１１ｂを伝送線２０６に接続できるので、蓋体２１５を設けたいかなる場所でも伝送物である電力や情報信号をアウトレット２０９に簡単に取り出すことができる。
【００７８】
さらに、本実施形態では、フロアパネル２０４の表面層２０４Ｓに伝送線２０６を設けることによって、第１の実施形態と同様に、フロアパネル２０４と基礎床２との間の空間５に配索する伝送線を少なくしたり無くすことができる。したがって、フロアパネル２０４のパネル本体２０４Ｍ内に伝送線２０６を設けずにフロアパネル２０４と基礎床２との間の空間５にだけ伝送線を配索する場合に比べて、フロアパネル２０４と基礎床２との間の空間５の高さを低くすることができ、フロアパネルシステム２０１の床面（上面）を低くすることができる。よって、室内空間の高さを高くして室内を広くすることができる。
【００７９】
また、フロアパネル２０４の表面層２０４Ｓに伝送線２０６を一体に設けることによって、第１の実施形態と同様に、フロアパネル２０４に電気機器９９を内蔵してその電気機器９９を伝送線２０６に接続したり、フロアパネル２０４外の電気機器（図示せず）を伝送線２０６に接続することができ、これにより、そのフロアパネル２０４に内外の電気機器９９の遠隔制御や使用をすることができる。このような構成の例は、第１の実施形態と同じであるため、説明は省略する。
【００８０】
図１３は第３の実施形態のフロアパネルシステムの変形例を概略的に示す斜視図である。なお、本変形例は第３の実施形態と同一構成部分に同一符号を付して重複する説明を省略して述べるものとする。
【００８１】
本変形例では、第３の実施形態と同様にフロアパネル２０４Ａには、表面層２０４Ｓに十字状の溝部２１６を形成してあり、その溝部２１６の底面に十字状に形成した平板状の伝送線２０６を配設してある。また、溝部２１６には中央蓋体２１５Ａａおよび周縁蓋体２１５Ａｂに分割された蓋体２１５Ａが嵌め込まれるようになっている。
【００８２】
一方、アウトレット２０９の接続部２１１Ａは、上述の中央蓋体２１５Ａａおよび周縁蓋体２１５Ａｂと同様の形状となる中央接続部２１１Ａａおよび図示省略した周縁接続部となり、それらの接続部２１１Ａの下面からはアウトレット２０９に電気的に接続される接続歯２１２を突設してある。接続歯２１２は、中央接続部２１１Ａａでは２本が設けられ、周縁接続部では６本が設けられることになる。
【００８３】
他方、伝送線２０６には、接続歯２１２が差し込まれる差込孔２１３が伝送線２０６の長さ方向に沿って複数形成されている。そして、中央蓋体２１５Ａａや周縁蓋体２１５Ａｂを取り外した取出口（取付部）２１０Ａに中央接続部２１１Ａａや周縁接続部を嵌め込むことにより、それぞれの接続歯２１２が差込孔２１３に挿入されて、伝送線２０６とアウトレット２０９とが導通される。これにより蓋体２１５Ａを設けたいかなる場所でも伝送物である電力や情報信号をアウトレット２０９に簡単に取り出すことができる。
【００８４】
図１４は、図１３に示すフロアパネルの第１変形例を示す要部断面図であり、本変形例のフロアパネル２０４は、底板２０４ｂと表面層２０４Ｓとの間に形成される中空部に、金属や導電性プラスチックなどの導電性部材２０６ａを充填し、この導電性部材２０６ａを伝送媒体として用いている。
【００８５】
したがって、本変形例によれば、伝送媒体を、フロアパネル２０４Ｂの内部に形成した中空部に充填した導電性部材２０６ａとしたため、伝送媒体の配設作業が不要となる上、各フロアパネル２０４Ｂに対する伝送媒体の占有面積を増大でき、アウトレット２０９の接続位置の選択範囲を広げることができる。
【００８６】
図１５は、図１３に示すフロアパネルの第２変形例を示す要部断面図で、導電性部材として、カーボンブラックなどの導電フィラー２０６ｂが含有された部材を用いている。すなわち、フロアパネル２０４Ｃの中空部内に導電フィラー２０６ｂを配置し、導電フィラー２０６ｂの周に無機物を充填したものを用いている。
【００８７】
したがって、本変形例によれば、導電性部材を導電フィラー２０６ｂが含有された部材で形成したので、フロアパネル２０４Ｃの軽量化を図ることができる。
【００８８】
なお、図１４および図１５に示す各変形例では、フロアパネル２０４Ｂ、２０４Ｃの導電性部材２０６ａや導電フィラー２０６ｂを、隣接するフロアパネル２０４Ｂ、２０４Ｃに電気的に接続するために、一端部が導電性部材２０６ａおよび導電フィラー２０６ｂに埋設され、他端部が表面層２０４Ｓの周縁部２０４Ｓａに露出する接続板２１４が設けられている。
【００８９】
ここで、第３の実施形態およびその変形例であるフロアパネル２０４、２０４Ａの変形例を説明する。以下の各変形例は、フロアパネル２０４、２０４Ａに対して、伝送線２０６の配置が異なり、その他の構成は同じである。
【００９０】
図１６は、本実施形態にかかる図１２、図１３に示すフロアパネル２０４、２０４Ａの第１変形例を概略的に示す斜視図である。図１６に示す第１変形例のフロアパネル２０４Ｄでは、フロアパネル２０４Ｄの一組の対辺の中央部同士を結ぶように伝送線２０６が設けられており、伝送線２０６は直線状を成している。
【００９１】
図１７は、本実施形態にかかる図１２、図１３に示すフロアパネル２０４、２０４Ａの第２変形例を概略的に示す斜視図である。図１７に示す第２変形例のフロアパネル２０４Ｅでは、フロアパネル２０４Ｅの連続する３辺の中間部分を接続するように伝送線２０６が設けられており、伝送線２０６が全体で略Ｖ字状を成している。
【００９２】
図１８は、本実施形態にかかる図１２、図１３に示すフロアパネル２０４、２０４Ａの第３変形例を概略的に示す斜視図である。図１８に示す第３変形例のフロアパネル２０４Ｆでは、フロアパネル２０４Ｆの一組の対辺同士を結ぶように一対の伝送線２０６が相互に平行に設けられている。
【００９３】
図１９は、本実施形態にかかる図１２、図１３に示すフロアパネル２０４、２０４Ａの第４変形例を概略的に示す斜視図である。図１９に示す第４変形例のフロアパネル２０４Ｇでは、フロアパネル２０４Ｇの隣合う辺同士を接続するように伝送線２０６が設けられており、これらの伝送線２０６は相互に離間して配置されている。
【００９４】
これらの各種のフロアパネル２０４、２０４Ａ、１０４Ｄ、１０４Ｅ、１０４Ｆ、２０４Ｇおよび２０４Ｂ、２０４Ｃを組み合わせることにより、フロアパネルシステム２０１の伝送路２０７の経路を多種多様に構築することができる。
【００９５】
[第４の実施形態]
本発明の第４の実施形態について図面を参照して説明する。図２０は、本実施形態にかかるフロアパネルシステムを概略的に示す斜視図、図２１は、フロアパネルシステムの要部拡大斜視図である。
【００９６】
図２０に示すように、本実施形態のフロアパネルシステム３０１は、前記各実施形態と同様に基礎床２（図１参照）上に配置される複数の支柱３と、これらの支柱３を介して基礎床２上にフロアパネル３０４と、を備えて、フロアパネル３０４と基礎床２との間に空間５を有する二重床が形成されている。
【００９７】
ここで、本実施形態が前記各実施形態と主に異なる点は、フロアパネル３０４が略長方形状かつシート状をしており、当該フロアパネル３０４の長手方向に沿って伝送媒体としての伝送線３０６が配設されていることにある。
【００９８】
また、本実施形態では、略長方形状かつシート状に形成したフロアパネル３０４の長手方向に整列される複数の支柱３に亘って横桟３１を架設し、その横桟３１にフロアパネル３０４を載置している。
【００９９】
さらに、本実施形態では、図２１に示すように、表面層３０４Ｓを複数に分割してそれぞれを矩形状に形成して着脱可能に配置している。このとき、フロアパネル３０４の本体部分と表面層３０４Ｓとの間に伝送線３０６を配設しており、それら表面層３０４Ｓと伝送線３０６との間に、アウトレット３０９の接続部３１１を取り付ける取出口（取付部）３１０が設けられている。勿論、取出口３１０は、伝送線３０６に対応した位置に形成される。
【０１００】
以上の本実施形態によれば、フロアパネル３０４が略長方形状をしているため、フロアパネル３０４の敷設作業の能率化を図ることができる。特に、フロアパネル３０４をシート状とすることで当該フロアパネル３０４を長手方向に巻回させることが可能となり、このフロアパネル３０４を巻回しておくことにより、運搬作業が容易になるとともに、敷設作業が容易になる。
【０１０１】
また、複数の支柱３に亘って架設した横桟３１にフロアパネル３０４を載置したので、フロアパネル３０４の敷設作業のさらなる能率化を図ることができる。
【０１０２】
さらに、表面層３０４Ｓを着脱可能に設けるとともに、表面層３０４Ｓと伝送線３０６との間に、アウトレット３０９の接続部３１１を取り付ける取出口（取付部）３１０を設けたので、表面層３０４Ｓを取り外すことによりアウトレット３０９の接続部３１１を容易に取出口３１０に接続できる。
【０１０３】
図２２は、第４の実施形態の第１変形例を示すフロアパネルの分解斜視図で、本変形例にあっても第４の実施形態と同様にフロアパネル３０４Ａは略長方形状かつシート状に形成され、長手方向に沿って伝送媒体としての伝送線３０６Ａが配設されている。
【０１０４】
また、複数に分割した表面層３０４Ｓをフロアパネル３０４Ａの本体部分に着脱可能に配置しており、それら表面層３０４Ｓと伝送線３０６Ａとの間に、アウトレット３０９の接続部３１１を取り付ける取出口（取付部）３１０Ａが設けられている。
【０１０５】
取出口３１０Ａは、伝送線３０６Ａ上に間隔をもって複数設けられており、その取出口３１０Ａは扁平な四角筒状に形成されている。そして、それぞれの取出口３１０Ａは、フロアパネル３０４Ａの幅方向に配置することでフロアパネル３０４Ａの本体部分の上面に固定される。また、表面層３０４Ｓは、取出口３１０Ａの上面に着脱可能に設けられており、その表面層３０４Ｓの角部近傍にはアウトレット３０９のハーネスを引き出すための切欠部３０４Ｓａが形成されている。
【０１０６】
したがって、第４の実施形態の第１変形例によれば、第４の実施形態と同様に、フロアパネル３０４Ａが略長方形状をしているため、フロアパネル３０４Ａの敷設作業の能率化を図ることができる。また、表面層３０４Ｓを着脱可能に形成するとともに、表面層３０４Ｓと伝送線３０６Ａとの間に、アウトレット３０９の接続部３１１Ａを取り付ける取出口３１０Ａを設けたので、表面層３０４Ｓを取り外すことによりアウトレット３０９の接続部３１１Ａを容易に取出口３１０Ａに接続できる。
【０１０７】
また、本変形例にあっても、シート状のフロアパネル３０４Ａを長手方向に巻回可能とすることが好ましく、さらに、複数の支柱３に亘って横桟を架設し、その横桟にフロアパネル３０４Ａを載置することが好ましい。
【０１０８】
図２３は、第４の実施形態の第２変形例を示すフロアパネルの分解斜視図で、本変形例にあっても第４の実施形態と同様にフロアパネル３０４Ｂは略長方形状かつシート状に形成されており、長手方向に沿って伝送媒体としての伝送線３０６Ｂが配設されている。
【０１０９】
本変形例のフロアパネル３０４Ｂは、本体部分の上面に幅を有する溝部３１６を形成することで矩形状の隆起部３１７が格子状に形成されている。そして、フロアパネル３０４Ｂの長手方向に整列した複数の隆起部３１７に連続して伝送線３０６Ｂが埋設されている。このとき、伝送線３０６は溝部３１６で露出され、この伝送線３０６が露出される溝部３１６の部分が取出口（取付部）３１０Ｂとなる。また、各隆起部３１７に対応して分割された表面層３０４Ｓは、隆起部３１７の上面に着脱できるようになっている。
【０１１０】
一方、アウトレット３０９の接続部３１１Ｂは、溝部３１６に嵌め込まれる直方体状に形成され、接続部３１１Ｂを取出口３１０Ｂに嵌め込むことにより、露出した伝送線３０６Ｂとアウトレット３０９とが導通されることになる。
【０１１１】
したがって、第４の実施形態の第２変形例によれば、第４の実施形態と同様に、フロアパネル３０４Ｂが略長方形状をしているため、フロアパネル３０４Ｂの敷設作業の能率化を図ることができる。また、表面層３０４Ｓを着脱可能に設けるとともに、表面層３０４Ｓと伝送線３０６Ｂとの間に、アウトレット３０９の接続部３１１Ｂを取り付ける取出口３１０Ｂを設けたので、表面層３０４Ｓを取り外すことによりアウトレット３０９の接続部３１１Ｂを容易に取出口３１０Ｂに接続できる。
【０１１２】
また、本変形例にあっても、シート状のフロアパネル３０４Ｂを長手方向に巻回可能とすることが好ましく、さらに、複数の支柱３に亘って横桟を架設し、その横桟にフロアパネル３０４Ｂを載置することが好ましい。
【０１１３】
図２４は、前記第２変形例（図２３参照）のさらなる変形例を示し、（ａ）は、フロアパネルの要部拡大断面図、（ｂ）は、発熱装置部の斜視図である。本変形例では、フロアパネル３０４Ｂの本体部分に設けた格子状の隆起部３１７を覆うようにアウトレットとしての発熱装置部３１２を設置し、その発熱装置部３１２の上面に表面層３０４Ｓを敷設している。そして、表面層３０４Ｓを発熱装置部３１２のカバーとして用いている。
【０１１４】
発熱装置部３１２は平坦な板状に形成され、その発熱装置部３１２の下面から接続部となる脚部３１１Ｃが突設している。脚部３１１Ｃは、フロアパネル３０４Ｂの隆起部３１７を格子状に区画する溝部３１６（図２３参照）に沿った形状を成している。そして、脚部３１１Ｃを取付部となる溝部３１６に嵌め込むことにより、その脚部３１１Ｃが伝送線３０６Ｂに接触して発熱装置部３１２に通電され、その発熱装置部３１２を床暖房として用いることができる。
【０１１５】
したがって、本変形例によれば、第４の実施形態の第２変形例と同様に、フロアパネル３０４Ｂが略長方形状をしているため、フロアパネル３０４Ｂの敷設作業の能率化を図ることができる。また、発熱装置部３１２の脚部３１１Ｃをフロアパネル３０４Ｂの溝部３１６に嵌め込むことにより通電が可能となるので、発熱装置部３１２の設置作業が容易となる。
【０１１６】
[第５の実施形態]
本発明の第５の実施形態について図面を参照して説明する。図２５は、本実施形態にかかるフロアパネルシステムに用いるフロアパネルの平面図、図２６はアウトレットを取り付ける状態を示すフロアパネルの断面図である。
【０１１７】
図２５に示すように、本実施形態のフロアパネル４０４は、前記各実施形態と同様に矩形状に形成され、図２６に示すように、天板４０４ｃと底板４０４ｂとを結合して形成される。
【０１１８】
ここで、本実施形態が前記各実施形態と異なる点は、フロアパネル４０４に、フロアパネル４０４を貫通する多数の貫通孔（取付部）４０４ｈを形成する一方、アウトレット４０９に任意の貫通孔４０４ｈに挿入される接続部としての接続端子４１１を設け、貫通孔４０４ｈを貫通させた接続端子４１１の先端部をフロアパネル４０４の裏面の任意の位置に配置可能な取出口４１０に挿入して、伝送媒体としての伝送線４０６に接触させたことにある。
【０１１９】
貫通孔４０４ｈは、フロアパネル４０４の表面層を兼ねた天板４０４ｃと底板４０４ｂとを上下方向に貫通して形成されており、接続端子４１１の長さは、フロアパネル４０４の厚さ、すなわち、天板４０４ｃの上面から底板４０４ｂの下面までの距離よりも長く形成される。なお、本実施形態では３本の接続端子４１１を設けている。
【０１２０】
取出口４１０は、底板４０４ｂの下面に着脱可能な受け部４１０ａの上面に上述の接続端子４１１に対応して形成され、この受け部４１０ａの内部には各取出口４１０に対応して接続端子４１１の接触子が設けられる。そして、取出口４１０から挿入された接続端子４１１が接触子に接触することにより、伝送線４０６から電力や情報信号などの伝送物がアウトレット４０９に取り出される。受け部４１０ａは、その上面に永久磁石が設けられており底板４０４ｂに着脱することができるようになっている。
【０１２１】
アウトレット４０９は、第２の実施形態のアウトレット１０９（図７参照）と同様に、側面にコンセント４０９ａを設けた円盤状に形成されており、その下側から接続端子４１１が垂設されている。また、本実施形態ではアウトレット４０９の側面にパイロットランプ４０９ｂが設けられている。
【０１２２】
以上の本実施形態によれば、フロアパネル４０４を貫通する多数の貫通孔４０４ｈを形成することで取付部を形成するとともに、アウトレット４０９の接続端子（接続部）４１１を任意の貫通孔４０４ｈに挿入できるように形成し、接続端子（接続部）４１１の先端部を伝送線４０６に接触させたため、アウトレット４０９の接続端子４１１をフロアパネル４０４に形成した任意の貫通孔４０４ｈに挿入することにより、接続端子４１１の先端部をフロアパネル４０４の裏面に配置した取出口４１０に挿入して伝送線４０６に導通できる。したがって、多数の貫通孔４０４ｈから任意の位置にある貫通孔４０４ｈを選択して接続端子４１１を挿入することができ、貫通孔４０４ｈが形成されている部分であれば、いかなる場所であっても伝送物である電力や情報信号を簡単に取り出すことができるようになる。また、貫通孔４０４ｈの間隔を狭くしておくことにより、アウトレット４０９の接続位置を精度良く調整できる。
【０１２３】
［第６の実施形態］
本発明の第６の実施形態について図面を参照して説明する。図２７は、本実施形態にかかるフロアパネルシステムを概略的に示す斜視図、図２８は、フロアパネルを概略的に示す斜視図である。なお、第１及び第３の実施形態と同じ部分には同一符号を付して重複する説明は省略する。
【０１２４】
図２７に示すように、本実施形態のフロアパネルシステム５０１は、置き敷きタイプの矩形のフロアパネル５０４を複数備えており、これらのフロアパネル５０４が基礎床２上に碁盤の目状に直接敷設される。このフロアパネルシステム５０１と基礎床２とによって、二重床が形成される。なお、図２７では、フロアパネル５０４同士の境界部分を太線で示してある。
【０１２５】
図２７及び図２８に示すように、フロアパネル５０４は、矩形板状のパネル本体５０４Ｍを骨格部材として備えている。このパネル本体５０４Ｍには、上面開口の配線用溝５１１が十字状に形成されており、この配線用溝５１１の上面は、着脱可能な表面層としての蓋５１２で閉塞される。隣合うフロアパネル５０４同士の配線用溝５１１は、相互に連通されており、かかる複数の配線用溝５１１によって、フロアパネルシステム５０１に格子状の溝５１３が形成される。この溝５１３には伝送線５０６が配設可能となっている。
【０１２６】
蓋５１２には、伝送線２０６が配線用溝５１１の形状に合わせて十字状をなすように設けられている。そして、隣合うフロアパネル５０４における蓋５１２の伝送線２０６同士は、相互に接続され、これらの蓋５１２内の伝送線２０６等によって、フロアパネルシステム５０１内に格子状の伝送路５０７が形成される。
【０１２７】
この伝送路５０７には、第１の実施形態と同様に、伝送物管理装置８やアウトレット５０９が接続可能となっており、アウトレット５０９に接続された電気機器（図示せず）と伝送物管理装置８とが伝送路５０７を介して接続されるようになっている。フロアパネルシステム５０１が伝送路５０７によって伝送する伝送物は、第１の実施形態と同じである。
【０１２８】
ここで、本実施形態では、フロアパネル５０４は、表面層とした蓋５１２の任意の位置にアウトレット５０９の接続部が取り付けられる取付部を複数形成することが可能となっている。このとき、取付部は、予め蓋５１２に形成しておいてもよく、また、蓋５１２を弾性絶縁材料で形成して、取付部を事後形成することもできる。
【０１２９】
以上の本実施形態によれば、前記各実施形態と同様に伝送線５０６が配設されている部分（本実施形態では蓋５１２の配置部分）であれば、いかなる場所でも伝送物である電力や情報信号をアウトレット５０９に簡単に取り出すことができる。
【０１３０】
また、本実施形態では、フロアパネル５０４の蓋５１２内に伝送線５０６が設けられていることにより、フロアパネル５０４を基礎床２に直接敷設しても、フロアパネルシステム５０１内に伝送路５０７が形成されるので、フロアパネル５０４の下面と基礎床２との間に配線用の空間を形成する必要がなく、その分、フロアパネルシステム５０１の床面（上面）を低くすることができる。よって、室内空間の高さを高くして室内を広くすることができる。なお、このような効果は、例えば、第３の実施形態のフロアパネル２０４を支柱３を介さずに直接基礎床２に敷設することでも得ることができる。また、第１の実施形態のフロアパネル４を支柱３を介さずに直接基礎床２に敷設して、隣合うフロアパネル４の伝送線６同士を接続部材によって接続することによっても、上記と同じ効果を得ることができる。
【０１３１】
また、このようにフロアパネル５０４に伝送線５０６を一体に設けることによって、第１の実施形態と同様に、フロアパネル５０４に電気機器９９を内蔵してその電気機器９９を伝送線５０６に接続したり、フロアパネル５０４外の電気機器（図示せず）を伝送線５０６に接続することができ、これにより、そのフロアパネル５０４内外の電気機器９９の遠隔制御や使用をすることができる。このような構成の例は、第１の実施形態と同じであるため、説明は省略する。
【０１３２】
なお、本発明は、上記実施形態に限ることなく本発明の要旨を逸脱しない範囲で他の実施形態を各種採用することができる。
【図面の簡単な説明】
【０１３３】
【図１】本発明の第１の実施形態にかかるフロアパネルシステムを概略的に示す斜視図である。
【図２】本発明の第１の実施形態にかかる取出口を形成したフロアパネルの斜視図である。
【図３】本発明の第１の実施形態にかかるフロアパネルの断面図である。
【図４】本発明の第１の実施形態にかかる取出口を形成しない状態のフロアパネルの斜視図である。
【図５】本発明の第２の実施形態にかかるフロアパネルシステムを概略的に示す斜視図である。
【図６】本発明の第２の実施形態にかかるアウトレットを接続した状態を示すフロアパネルの平面図である。
【図７】図６中Ａ−Ａ線に沿った拡大断面図である。
【図８】本発明にかかるフロアパネルの変形例を概略的に示す平面図である。
【図９】本発明にかかるフロアパネルの変形例を概略的に示す平面図である。
【図１０】本発明にかかるフロアパネルの変形例を概略的に示す平面図である。
【図１１】本発明の第３の実施形態にかかるフロアパネルシステムを概略的に示す斜視図である。
【図１２】本発明の第３の実施形態にかかるフロアパネルの分解斜視図である。
【図１３】本発明の第３の実施形態にかかるフロアパネルシステムの変形例を概略的に示す斜視図である。
【図１４】本発明の第３の実施形態にかかるフロアパネルの変形例を示す要部断面図である。
【図１５】本発明の第３の実施形態にかかるフロアパネルの変形例を示す要部断面図である。
【図１６】本発明の第３の実施形態にかかるフロアパネルの変形例を概略的に示す斜視図である。
【図１７】本発明の第３の実施形態にかかるフロアパネルの変形例を概略的に示す斜視図である。
【図１８】本発明の第３の実施形態にかかるフロアパネルの変形例を概略的に示す斜視図である。
【図１９】本発明の第３の実施形態にかかるフロアパネルの変形例を概略的に示す斜視図である。
【図２０】本発明の第４の実施形態にかかるフロアパネルシステムを概略的に示す斜視図である。
【図２１】本発明の第４の実施形態にかかるフロアパネルシステムの要部拡大斜視図である。
【図２２】本発明の第４の実施形態の変形例を示すフロアパネルの分解斜視図である。
【図２３】本発明の第４の実施形態の変形例を示すフロアパネルの分解斜視図である。
【図２４】本発明の第４の実施形態の変形例を示し、（ａ）はフロアパネルの要部拡大断面図、（ｂ）は発熱装置部の斜視図である。
【図２５】本発明の第５の実施形態にかかるフロアパネルシステムに用いるフロアパネルの平面図である。
【図２６】本発明の第５の実施形態にかかるアウトレットを取り付ける状態を示すフロアパネルの断面図である。
【図２７】本発明の第６の実施形態にかかるフロアパネルシステムを概略的に示す斜視図である。
【図２８】本発明の第６の実施形態にかかるフロアパネルを概略的に示す斜視図である。
【符号の説明】
【０１３４】
１、１０１、２０１、３０１、４０１、５０１  フロアパネルシステム
２  基礎床
３  支柱
４、１０４、２０４、３０４、４０４、５０４  フロアパネル
５  空間
６  伝送板（伝送媒体）
１０６、２０６、３０６、４０６、５０６  伝送線（伝送媒体）
９、１０９、２０９、３０９、４０９、５０９  アウトレット
１０、１１０、２１０、３１０、４１０  取出口（取付部）
１１、２１１、３１１  接続部
１１１、４１１  接続端子（接続部）
４Ｓ、１０４Ｓ、２０４Ｓ、３０４Ｓ  表面層
２０６ａ  導電性部材
２０６ｂ  導電フィラー
２１５  蓋体
３１  横桟
４０４ｃ  天板（表面層）
４０４ｈ  貫通孔
５１２  蓋（表面層）
【図１】
2010106470.tif 000003
【図２】
2010106470.tif 000004
【図３】
2010106470.tif 000005
【図４】
2010106470.tif 000006
【図５】
2010106470.tif 000007
【図６】
2010106470.tif 000008
【図７】
2010106470.tif 000009
【図８】
2010106470.tif 000010
【図９】
2010106470.tif 000011
【図１０】
2010106470.tif 000012
【図１１】
2010106470.tif 000013
【図１２】
2010106470.tif 000014
【図１３】
2010106470.tif 000015
【図１４】
2010106470.tif 000016
【図１５】
2010106470.tif 000017
【図１６】
2010106470.tif 000018
【図１７】
2010106470.tif 000019
【図１８】
2010106470.tif 000020
【図１９】
2010106470.tif 000021
【図２０】
2010106470.tif 000022
【図２１】
2010106470.tif 000023
【図２２】
2010106470.tif 000024
【図２３】
2010106470.tif 000025
【図２４】
2010106470.tif 000026
【図２５】
2010106470.tif 000027
【図２６】
2010106470.tif 000028
【図２７】
2010106470.tif 000029
【図２８】
2010106470.tif 000030